(57)【要約】【課題】着色絶縁体で覆われた心線が露出されたケーブルの分岐接続部位の耐光性を、簡単安価な構成で高めることのできるケーブル接続用端子函を提供する。【解決手段】ケーブル２の分岐接続部位４を接続用端子函本体１に挿通収納するとともに、外被の剥離によって心線３が露出された分岐接続部位４を遮光性シート６で囲繞する。【選択図】        図１
2004266909.tif 000002
【特許請求の範囲】
【請求項１】
心線群を外被で覆ってなるケーブルが挿通される端子函本体と、
前記端子函本体内において前記外被が剥離されて前記心線群が露出されることで形成された分岐接続部位を囲繞する遮光性シートと、
を有することを特徴とするケーブル接続用端子函。
【請求項２】
請求項１記載のケーブル接続用端子函において、
前記遮光性シートは二つ折り可能な扁平シートで構成され、
前記ケーブルの分岐接続部位は、二つ折りされた前記遮光性シートの間に挟み込み挿通され、二つ折りされた前記遮光性シートの対向する周端辺同士は、分離可能に重ね合わせ接合されている、
ことを特徴とするケーブル接続用端子函。
【請求項３】
請求項１または２記載のケーブル接続用端子函において、
前記遮光性シートの内部に収納された断熱材を有する、
ことを特徴とするケーブル接続用端子函。
【請求項４】
請求項１ないし３のいずれかに記載のケーブル接続用端子函において、
前記遮光性シートの内部に収納された吸湿材を有する、
ことを特徴とするケーブル接続用端子函。
【請求項５】
請求項１ないし４のいずれかに記載のケーブル接続用端子函において、
前記遮光性シートの両端部においてケーブルの外周に沿って密着状態に巻回されて前記遮光用シートを止着するテープ状あるいはバンド状の止着部材を有することを特徴とするケーブル接続用端子函。
【発明の詳細な説明】
【０００１】
【発明の属する技術分野】
本発明は、屋外に架設された通信用のメタル線（ＣＣＰケーブル）や光ファイバケーブルから引き込み線を分岐接続する場合に利用されるケーブル接続用端子函の構造に関する。
【０００２】
【従来の技術】
従来から、ケーブル接続用端子函は、端子函本体に挿通されたケーブルの一部において外被を剥離して、心線群が露出された分岐接続部位を形成し、必要に応じて一部の心線に接続された引き込み線が端子函から導出されるようになっている（特許文献１参照）。
【０００３】
【特許文献１】
特開平０２−２２８２１２号公報
【０００４】
【発明が解決しようとする課題】
端子函本体は、挿通されたケーブルの分岐接続部位を保護してはいるが、接続操作のために開閉できるよう構成されている関係で外光が多少は侵入するものとなっている。このために、長期間（例えば、５〜１０年）の間には、侵入した外光が分岐接続部位の心線群に照射され、心線を覆っている樹脂製の絶縁体が侵入した外光（特に紫外線）によって少しづつ劣化することになり、風などによって端子函本体が振動して隣接する心線同士が擦れ合ったりした際に、劣化した絶縁体に亀裂が入ったり剥離して内部の導体が露出してしまうなど、信号電圧の低下、回線障害、などの弊害が発生することがあった。
【０００５】
もちろん、絶縁体にカーボンなどの紫外線吸収材を添加すれば耐光性の高い心線を構成することができる。しかしながら、心線の絶縁体は識別を容易にするために黒色以外の各種の色に着色する必要があり、このため心線の絶縁体は耐光性の低いものにならざるを得ないものとなる。特に、白色あるいは黄色の絶縁体は耐光性が特に低くて劣化が進行しやすく、上記現象が発生しやすい。耐光性能を発揮させるために着色心線（黒色以外）の絶縁体に含有させる成分は、ハロゲン化合物等の有害物質を発生させるものが多い。そのため、従来の構成では、環境に対する悪影響が心配されている。
【０００６】
また、端子函本体には内外の温度差によって空気の出入りがあるので、函内に侵入した湿気が結露し、その結露水が心線に付着することで絶縁体の劣化が進行しやすい。
【０００７】
【課題を解決するための手段】
本発明では、上記課題を解決するために、次のように構成している。
【０００８】
すなわち、本発明のケーブル接続用端子函は、心線群を外被で覆ってなるケーブルが挿通される端子函本体と、前記端子函本体内において前記外被が剥離されて前記心線群が露出されることで形成された分岐接続部位を囲繞する遮光性シートとを有している。
【０００９】
この構成によると、端子函本体内に紫外線が侵入しても、遮光性シートで囲繞された分岐接続部位には紫外線が照射されず、心線の絶縁体が紫外線をあびて劣化することが防止される。
【００１０】
なお、前記遮光性シートは二つ折り可能な扁平シートで構成され、前記ケーブルの分岐接続部位は、二つ折りされた前記遮光性シートの間に挟み込み挿通され、二つ折りされた前記遮光性シートの対向する周端辺同士は、分離可能に重ね合わせ接合されているのが好ましい。
【００１１】
そうすると、展開した遮光性シートを端子函本体に挿通されているケーブルの分岐接続部位に巻き掛けて二つ折りにし、二つ折りされて対向された遮光性シートの周端辺同士を面ファスナなどを用いて重ね合わせ接合することで、心線が露出されている分岐接続部位を全体的に覆うことができる。
【００１２】
この場合、一部の心線に引き込み線が接続されていても、この引き込み線を遮光性シートの重ね合わせ接合部位を通してシート外に導出することができる。
【００１３】
また、遮光性シートの重ね合わせ接合を解除することでシートを開放し、新たな引き出し線接続処理を行うことができる。
【００１４】
なお、前記ケーブルの分岐接続部位を囲繞した前記遮光性シートの内部に断熱材を収容するのが好ましい。
【００１５】
そうすると、遮光性シートの内部に湿気が侵入しても、結露しにくいものとなる。
【００１６】
なお、前記ケーブルの分岐接続部位を囲繞した前記遮光性シートの内部に吸湿材を収容するのが好ましい。
【００１７】
そうすると、遮光性シートの内部に湿気が侵入しても吸湿材に吸収され、結露することが抑制される。
【００１８】
なお、前記遮光性シートの両端部においてケーブルの外周に沿って密着状態に巻回されて前記遮光用シートを止着するテープ状あるいはバンド状の止着部材を有するのが好ましい。
【００１９】
そうすると、ケーブルにおける心線の間に形成された間隙を通ってシート内に湿気を含んだ空気が侵入したり、ケーブル外周面と遮光性シートとの間を通ってシート内に湿気を含んだ空気が侵入することが防止される。
【００２０】
【発明の実施の形態】
以下、本発明の実施の形態を図面に基づいて説明する。
【００２１】
図１に、本発明に係るケーブル接続用端子函を縦断した側面図が、また、図２にその縦断した正面図がそれぞれ示されている。
【００２２】
接続用端子函本体１は、屋外において、電柱などに架設された吊り線に取り付けられるものであり、家形断面形状の箱形に形成され、その前後壁に亘って通信用のケーブル２が挿通されている。ケーブル２は、メタルケーブル（例えば、ＣＣＰケーブル：Ｃｏｌｏｕｒ  Ｃｏｄｅ  Ｐｏｌｙｅｔｙｌｅｎｅ  Ｃａｂｌｅ）や光ファイバケーブルから構成されるている。
【００２３】
接続用端子函本体１の内部には、ケーブル２の外被が所定長さに亘って剥離されて、多数の心線３が露出された分岐接続部位４が形成されている。
【００２４】
各心線３は、識別を容易にするために、白色、黄色、青色、緑色、などに着色されたポリエチレン樹脂からなる絶縁体で覆われており、一部の心線３に接続された引き込み線５が接続用端子函本体１の底面から導出されている。
【００２５】
心線３群が露出された前記分岐接続部位４は、黒色のポリエチレンシートからなる遮光性シート６で囲繞されて、耐光性の低い心線３群が接続用端子函本体１内に侵入した紫外線にさらされないよう構成されている。
【００２６】
前記遮光性シート６は、展開すると図３に示すように、上下中間部の左右両端部に突出部６ａを備えた上下に対称な略六角形状に形成されており、この遮光性シート６を、図４に示すように、二つ折りにしてケーブル２の前記分岐接続部位４に巻き掛けることで分岐接続部位４を全体的に覆うことができるようになっている。また、遮光性シート６における周端辺の上半部６ｂと下半部６ｃには、それぞれ面ファスナ７ａ，７ｂが付設されており、二つ折りによって互いに対向された周端辺上半部６ｂと周端辺下半部６ｃとを、面ファスナ７ａ，７ｂを介して接合することで、分岐接続部位４全体が遮光性シート６で覆い隠される。また、遮光性シート６の突出部６ａは分岐接続部位４に巻き付けられるとともに、その上から粘着テープ８が巻き付け貼着されて、遮光性シート６の両端部が分岐接続部位４の外周に密着されている。引き込み線５は遮光性シート６の重ね合わせ接合部を通してシート外に引き出されている。
【００２７】
以上のように遮光性シート６を装着して分岐接続部位４を覆うことで、耐光性の低い心線３群が接続用端子函本体１内に侵入した紫外線にさらされて劣化することを防止している。
【００２８】
なお、本発明は、以下のような形態で実施することもできる。
（１）図５（ａ）に示すように、遮光性シート６の内面に発泡樹脂材などからなる断熱材１１を付設しておくと、シート内に侵入した湿気が内外の温度差によって結露して心線３に付着することを抑制することができる。なお、断熱材は発泡樹脂材の他、梱包材等に用いられる樹脂シート内に空気挿入層を設けた気泡シート材を用いることができる。
（２）図５（ｂ）に示すように、遮光性シー６トの内面に吸湿テープや吸湿シートなどの吸湿材１２を貼付けておくことで、シート内に侵入した湿気が結露して心線３に付着することを抑制することができる。
（３）遮光性シート６の重ね合わせ部を分離可能に接合する手段としては、上記のように面ファスナ７ａ，７ｂを利用する他に、樹脂成形された凹凸条を分離可能に嵌合させるテープを利用することもできる。
【００２９】
【発明の効果】
以上の説明から明らかなように、本発明によれば以下に示すような効果が期待できる。
【００３０】
遮光性シートを装着するだけの簡単安価な構成で、接続用端子函本体に挿通されて心線が露出されたケーブルにおける分岐接続部位の耐光性を高めることが可能となった。
【００３１】
さらには、このようして耐光性能を上げるために、心線を覆う絶縁体に耐光性を過分に持たせる必要が無くなった。耐光性能を発揮させるために心線の絶縁体に含有させる成分は、ハロゲン化合物等の有害物質を発生させるものが多い。これに対して、本発明では、心線に耐光成分を添加することなくケーブルの耐光性を向上させていることができる。そのため、その分、本発明では、環境に対する悪影響を排除することができる。
【００３２】
また、接続用端子函本体の内部で遮光性シートをケーブルにおける分岐接続部位に簡単容易に装着あるいは開放することができ、取扱い性および作業性に優れたものとなる。
【００３３】
また、分岐接続部位の断熱を図ることで、遮光性シート内に侵入した湿気の結露を防止し、心線の劣化進行を抑制することができる。
【００３４】
また、遮光性シート内に侵入した湿気を吸収することで結露の発生を防止して、心線の劣化進行を抑制することができる。
【００３５】
また、遮光性シート内への湿気の侵入を確実に防止して、心線の劣化進行を抑制することができる。
【図面の簡単な説明】
【図１】本発明に係るケーブル接続用端子函の縦断側面図である。
【図２】本発明に係るケーブル接続用端子函の縦断正面図である。
【図３】遮光性シートの展開平面図である。
【図４】遮光性シートを二つ折りした状態の斜視図である。
【図５】別の実施形態を示す縦断正面図である。
【符号の説明】
１            接続用端子函本体  ２            ケーブル
３            心線        ４            分岐接続部位
６            遮光性シート    ８            粘着テープ
１１          断熱材      １２          吸湿材
【図１】
2004266909.tif 000003
【図２】
2004266909.tif 000004
【図３】
2004266909.tif 000005
【図４】
2004266909.tif 000006
【図５】
2004266909.tif 000007